(57)【要約】【課題】  シンプルな構成で、声道を容易にイメージでき、操作が簡単で、目的とする音を生成しやすく、目的とする音の生成及び確認と舌の位置とを操作に伴い簡単に確認できる声道模型を提供すること。【解決手段】  声道模型１０は、声道部３０と、ベース部７１と、本体部７３全体がベース部７１と共に部材に載置される載置状態と、本体部７３全体がベース部７１に対して起上する起上状態との間を往復するように、ベース部７１に対して回動する本体部７３とを有する舌本体ユニット７０と、本体部７３が載置状態と起上状態との間を往復するように、本体部７３の回動を操作する操作部８０とを有する。【選択図】      図１Ａ
2015121622.tif 000002
【特許請求の範囲】
【請求項１】
透明の部材によって囲まれることでＬ字型の筒部として形成される声道部と、
口腔部として機能する前記声道部の一部に配設される舌本体ユニットであって、前記舌本体ユニットの基端部に配設され、前記部材に載置されるベース部と、前記舌本体ユニットの先端部に配設され、本体部全体が前記ベース部と共に前記部材に載置される載置状態と、本体部全体が前記ベース部に対して起上する起上状態との間を往復するように、前記ベース部に対して回動する本体部とを有する舌本体ユニットと、
前記本体部が前記載置状態と前記起上状態との間を往復するように、前記本体部の回動を操作する操作部と、
を具備することを特徴とする声道模型。
【請求項２】
前記舌本体ユニットは、着色されていることを特徴とする請求項１に記載の声道模型。
【請求項３】
前記操作部が載置されることによって前記本体部が前記載置状態となり、前記操作部が起上することによって前記本体部が前記起上状態となるように、前記操作部が回動することによって、前記操作部は前記操作部に連動して前記本体部を操作することを特徴とする請求項１または請求項２に記載の声道模型。
【請求項４】
前記ベース部は前記本体部を支持するベース先端部を有し、前記ベース先端部は凹状の凹型曲面部を有し、
前記本体部は前記ベース先端部によって支持されている本体基端部を有し、前記本体基端部は前記凹型曲面部に嵌め込まれる凸状の凸型曲面部を有し、
前記凸型曲面部が前記凹型曲面部に嵌め込まれることによって、前記本体部は前記ベース部に対して回動可能となるように前記ベース部に支持されることを特徴とする請求項１乃至請求項３のいずれかに記載の声道模型。
【請求項５】
前記舌本体ユニットは、前記本体部の本体先端部に着脱可能で、前記本体先端部に取り付けられた際に舌端として機能する舌端部をさらに有していることを特徴とする請求項１乃至請求項４のいずれかに記載の声道模型。
【請求項６】
長さの短い前記舌端部が前記本体部に取り付けられている場合、前記本体部は、前記本体部と前記舌端部とが一体となって前記ベース部と共に前記部材に載置される前記載置状態と、前記本体部の前記本体先端部と前記舌端部の舌端先端部とが前記部材とは非接触で前記本体部全体が前記ベース部に対して反り返るように起上する前記起上状態における反り返り起上状態との間を往復するように、前記ベース部に対して回動することを特徴とする請求項５に記載の声道模型。
【請求項７】
長さの長い前記舌端部が前記本体部に取り付けられている場合、前記本体部は、前記本体部と前記舌端部とが一体となって前記ベース部と共に前記部材に載置される前記載置状態と、前記本体部と前記舌端部とが前記ベース部に対して傾斜して起上する前記起上状態における傾斜起上状態との間を往復するように、前記ベース部に対して回動することを特徴とする請求項６に記載の声道模型。
【請求項８】
長さの長い前記舌端部の舌端先端部は、前記傾斜起上状態において、前記部材の内周面に当接する当接部を有していることを特徴とする請求項７に記載の声道模型。
【請求項９】
前記舌本体ユニットの上方に配設されており、凹字状を有している歯ユニットをさらに具備し、
前記歯ユニットは、前記部材に対して着脱自在な複数の歯部材を有し、
前記反り返り起上状態において、前記本体部は、前記本体先端部が前記歯ユニットに重なるように、前記ベース部に対して反り返り、
前記傾斜起上状態において、前記舌端部と前記歯部材との間には、隙間部が形成されることを特徴とする請求項８に記載の声道模型。
【請求項１０】
前記本体部は、前記本体部全体が前記ベース部と共に前記部材に載置される前記載置状態と、前記本体部全体が前記ベース部に対して傾斜して起上する前記起上状態における傾斜起上状態との間を往復するように、前記ベース部に対して回動する請求項１乃至請求項４のいずれかに記載の声道模型。
【請求項１１】
前記本体部の本体先端部は、前記傾斜起上状態において、前記部材の内周面に当接する当接部を有していることを特徴とする請求項１０に記載の声道模型。
【発明の詳細な説明】
【技術分野】
【０００１】
本発明は、人の声道を模擬する声道模型に関する。
【背景技術】
【０００２】
近年、人の声道を模擬する声道模型が開発されている。声道模型は、言語学や音声科学などの基礎研究や、言語学習者のための応用言語学や、言語障がい者のための言語治療等の臨床応用や、発話ロボットなどの工学応用といった、様々な用途に用いられている。
【０００３】
声道模型の一例として、例えば特許文献１が開示されおり、開示されている声道模型はシンプルな構成となっている。
【０００４】
また別のタイプの声道模型は、舌に相当する舌部材を有している。舌部材はゴムなどの柔軟性を有しているため、音を生成する際における調音（構音）のための自由度が高くなっている。
【先行技術文献】
【特許文献】
【０００５】
【特許文献１】特開２００８−１１６４９８号公報
【発明の概要】
【発明が解決しようとする課題】
【０００６】
特許文献１に開示される声道模型において、この模型からでは声道をイメージすることは容易ではない。  
また別のタイプの声道模型において、舌部材等の操作が簡単ではなく、目的の音を生成しづらい。  
特に声道模型が例えば言語教育や言語治療に用いられる場合、シンプルな構成で、声道を容易にイメージでき、操作が簡単で、目的とする音の生成及び確認と舌の位置とを操作に伴い簡単に確認できることが求められている。
【０００７】
本発明は、これらの事情に鑑みてなされたものであり、シンプルな構成で、声道を容易にイメージでき、操作が簡単で、目的とする音を生成しやすく、目的とする音の生成及び確認と舌の位置とを操作に伴い簡単に確認できる声道模型を提供することを目的とする。
【課題を解決するための手段】
【０００８】
本発明の声道模型の一態様は、透明の部材によって囲まれることでＬ字型の筒部として形成される声道部と、口腔部として機能する前記声道部の一部に配設される舌本体ユニットであって、前記舌本体ユニットの基端部に配設され、前記部材に載置されるベース部と、前記舌本体ユニットの先端部に配設され、本体部全体が前記ベース部と共に前記部材に載置される載置状態と、本体部全体が前記ベース部に対して起上する起上状態との間を往復するように、前記ベース部に対して回動する本体部とを有する舌本体ユニットと、前記本体部が前記載置状態と前記起上状態との間を往復するように、前記本体部の回動を操作する操作部と、を具備する。
【発明の効果】
【０００９】
本発明によれば、シンプルな構成で、声道を容易にイメージでき、操作が簡単で、目的とする音を生成しやすく、目的とする音の生成及び確認と舌の位置とを操作に伴い簡単に確認できる声道模型を提供することができる。
【図面の簡単な説明】
【００１０】
【図１Ａ】図１Ａは、本発明の第１の実施形態に係る声道模型を示し、短い舌端部が取り付けられた状態であり、載置状態における模型の概略斜視図である。
【図１Ｂ】図１Ｂは、短い舌端部が取り付けられた状態であり、反り返り起上状態における模型の概略斜視図である。
【図２Ａ】図２Ａは、模型の概略側面図である。
【図２Ｂ】図２Ｂは、模型の概略上面図である。
【図２Ｃ】図２Ｃは、口腔部における模型の概略正面図である。
【図３Ａ】図３Ａは、短い舌端部が取り付けられた状態において、載置状態を説明する図である。
【図３Ｂ】図３Ｂは、短い舌端部が取り付けられた状態において、反り返り傾斜状態を説明する図である。
【図４Ａ】図４Ａは、長い舌端部が取り付けられた状態であり、載置状態における模型の概略斜視図である。
【図４Ｂ】図４Ｂは、長い舌端部が取り付けられた状態であり、傾斜起上状態における模型の概略斜視図である。
【図５Ａ】図５Ａは、長い舌端部が取り付けられた状態において、載置状態を説明する図である。
【図５Ｂ】図５Ｂは、長い舌端部が取り付けられた状態において、傾斜起上状態を説明する図である。
【図６】図６は、付勢部材が取り付けられている模型の概略斜視図である。
【図７Ａ】図７Ａは、本発明の第２の実施形態に係る声道模型を示し、載置状態における模型の概略斜視図である。
【図７Ｂ】図７Ｂは、傾斜起上状態における模型の概略斜視図である。
【図８Ａ】図８Ａは、載置状態を説明する図である。
【図８Ｂ】図８Ｂは、傾斜起上状態を説明する図である。
【発明を実施するための形態】
【００１１】
以下、図面を参照して本発明の実施形態について詳細に説明する。  
［第１の実施形態］  
［構成］  
図１Ａと図１Ｂと図２Ａと図２Ｂと図２Ｃと図３Ａと図３Ｂと図４Ａと図４Ｂと図５Ａと図５Ｂとを参照して第１の実施形態について説明する。なお一部の図面では、図示の明瞭化のために、一部の部材の図示を省略している。  
以下において声道模型１０の高さ方向をＺ方向または上下方向と称し、声道模型１０の幅方向をＸ方向または左右方向と称し、声道模型１０の長さ方向をＹ方向または前後方向と称する。Ｚ方向とＹ方向とＸ方向とは、互いに直交している。
【００１２】
［声道模型１０（以下、模型１０）］  
図１Ａと図１Ｂとに示すような模型１０は、例えば、言語学習者のための言語教育や言語障がい者のための言語治療に用いられる。本実施形態の模型１０は、例えば、流音に含まれる接近音（approximant）と呼ばれる音を生成する。接近音は、例えば、英語の「ｒ」や「ｌ」などの音を含む。
【００１３】
図１Ａと図１Ｂとに示すように、模型１０は、Ｌ字の筒形状を有している。このような模型１０は、複数の薄い平板部材によって囲まれることで形成される。これに伴い模型１０は、模型１０の内部（中空部）として機能するＬ字型の筒形状の声道部３０を有することとなる。平板部材は、声道部３０が模型１０の外部から可視できるように、例えば、透明アクリルなどの透明部材によって形成されている。このように模型１０は、透明の部材によって囲まれることでＬ字型の筒部として形成される声道部３０を有することとなる。
【００１４】
図１Ａと図１Ｂと図２Ａとに示すように、声道部３０は、Ｌ字の一辺を形成し、Ｚ方向に沿って配設されている咽頭部３１と、Ｌ字の他辺を形成し、Ｙ方向に沿って配設されている口腔部３３とを有している。咽頭部３１の一方は下方に向かって開口しており、咽頭部３１の他方は口腔部３３の一方と連通している。また口腔部３３の他方は、前方に向かって開口しており、開口部３３ａが形成されている。
【００１５】
図１Ａと図１Ｂと図２Ａとに示すように、咽頭部３１は、前記した透明な平板部材である前面板２１ａとＬ字形状の左側面板２３ａの一部とＬ字形状の右側面板２３ｂの一部と背面板２３ｃの一部と底面板２１ｄとによって形成されている。咽頭部３１の内部は、中空となっている。  
図１Ａと図１Ｂと図２Ａとに示すように、口腔部３３は、前記した透明な平板部材である上面板２５ａとＬ字形状の左側面板２３ａの他部と右側面板２３ｂの他部と背面板２３ｃの他部と底面板２５ｄとによって形成されている。上面板２５ａは、口蓋として機能する。
【００１６】
また図１Ａと図１Ｂと図２Ａとに示すように、模型１０は、模型１０が例えば図示しない机などに対して倒れずに載置され、咽頭部３１（模型１０におけるＬ字の一辺）が机に対して立設し、口腔部３３（模型１０におけるＬ字の他辺）が机の平面に対して平行となるように、咽頭部３１（模型１０のＬ字の一辺）の底部に配設されているＬ字形状の台座部４０を有している。台座部４０は、例えば、透明アクリルなどの透明部材によって形成されている。台座部４０は、平板状の前面板４１ａ及び底面板４１ｂを有している。底面板４１ｂは、底面板２１ｄに対して平行に配設され、机に載置される。前面板４１ａは、底面板２１ｄと底面板４１ｂと対して立設されるように、底面板２１ｄと底面板４１ｂとに固定されている。また前面板４１ａは、前面板４１ａと前面板２１ａとによって咽頭部３１における狭窄部３１ａを形成するように、前面板２１ａよりも背面板２３ｃ側に配設されている。  
前記した各板は、例えばねじなどによって互いに取り外し可能に連結されている。
【００１７】
また図１Ａと図１Ｂと図２Ａとに示すように、模型１０は、舌の一部として機能する舌根部５０と、歯として機能する歯ユニット６０と、口腔部３３として機能する声道部３０の一部に配設され、舌の他部として機能する舌本体ユニット７０と、舌本体ユニット７０を操作する操作部８０とを有している。舌根部５０は咽頭部３１に配設され、歯ユニット６０と舌本体ユニット７０とは口腔部３３に配設され、操作部８０は模型１０の外部に配設されている。
【００１８】
［舌根部５０］  
図１Ａと図１Ｂと図２Ａと図２Ｂとに示すように、舌根部５０は、前面板２１ａと左側面板２３ａの一部と右側面板２３ｂの一部と背面板２３ｃの一部とに密着するように咽頭部３１に配設され、接近音を生成するために配設される。図１Ａと図１Ｂと図２Ａとに示すように、舌根部５０は、底面板２１に対して浮いている。舌根部５０は、例えば直方体形状を有している。舌根部５０は、例えば、舌根部５０が模型１０の外部から可視できるように、例えば、透明アクリルなどの透明部材によって形成されている。図２Ａと図２Ｂとに示すように舌根部５０は、Ｚ方向に沿って配設され、狭窄部３１ａと連通する溝部５１を有している。溝部５１は、背面板２３ｃによって覆われる。
【００１９】
［歯ユニット６０］  
図１Ａと図１Ｂと図２Ａと図２Ｂと図２Ｃとに示すように、歯ユニット６０は、Ｚ方向において舌本体ユニット７０と対向するように舌本体ユニット７０の上方に配設されており、凹字形状を有している。図２Ｂに示すように、凹字の対向しあう２辺は、Ｙ方向に沿って配設されおり、凹字の底辺はＸ方向に沿って配設され開口部３３ａ側に配設されている。図２Ｂに示すように、歯ユニット６０は、複数の歯部材６１を有している。前記した凹字の対向しあう２辺の一方における歯部は左側面板２３ａの他部に密着しており、２辺の他方における歯部は右側面板２３ｂの他部に密着している。歯部材６１は、隣り合う歯部材６１と密着するように配設されている。歯部材６１は、口腔部３３に配設されさらに上面板２５ａに着脱自在となるように、例えば図示しないねじなどによって上面板２５ａに取り付けられている。つまり歯部材６１は、上面板２５ａから口腔部３３に向かって吊り下げられるように、上面板２５ａに取り付けられている。歯部材６１は、例えば直方体形状を有している。歯部材６１は、歯ユニット６０の内側が声道模型１０の外部から可視できるように、例えば、透明アクリルなどの透明部材によって形成されている。
【００２０】
［舌本体ユニット７０］  
図１Ａと図１Ｂと図２Ａと図２Ｂと図２Ｃとに示すように、舌本体ユニット７０は、例えば矩形柱形状を有している。舌本体ユニット７０は、舌本体ユニット７０の後述する状態及び動作が声道模型１０の外部から判別できるように、透明ではなく、着色されている。舌本体ユニット７０は、例えば、アルミなどの金属部材によって形成されている。
【００２１】
図１Ａと図１Ｂと図２Ａと図２Ｂと図２Ｃとに示すように、舌本体ユニット７０は、舌本体ユニット７０の基端部に配設され、底面板２５ｄに載置されるベース部７１と、舌本体ユニット７０の先端部に配設され、本体部７３全体がベース部７１と共に底面板２５ｄに載置される載置状態（図１Ａと図３Ａと図４Ａと図５Ａ参照）と、本体部７３全体がベース部７１に対して起上する起上状態（図１Ｂと図３Ｂと図４Ｂと図５Ｂ参照）との間を往復するように、ベース部７１に対してＸ軸周りに回動する本体部７３とを有している。
【００２２】
ベース部７１と本体部７３とは、着色されている。図２Ｂに示すように、ベース部７１と本体部７３とは、Ｙ方向に沿って配設されている溝部７５を有している。ベース部７１の溝部７５と本体部７３の溝部７５とは、同一直線上に配設されている。溝部７５は、上面板２５ａに対して開口している。
【００２３】
また図１Ａと図１Ｂと図２Ａと図２Ｃと図３Ａと図３Ｂと図４Ａと図４Ｂと図５Ａと図５Ｂとに示すように、舌本体ユニット７０は、本体部７３の本体先端部７３ｂに着脱可能で、本体部７３先端部に取り付けられた際に舌端として機能する舌端部７７をさらに有している。舌端部７７は、互いに長さの異なる短い舌端部７８ａと長い舌端部７８ｂとからなる。
【００２４】
ベース部７１と本体部７３と舌端部７７とは、それぞれ別体である。
【００２５】
［ベース部７１］  
図１Ａと図１Ｂとに示すようなベース部７１は、例えばねじなどによって、底面板２５ｄに着脱自在に取り付けられる。図２Ａに示すように、ベース部７１は、Ｚ方向において前面板２１ａと同一平面上に配設されているベース基端部７１ａと、本体部７３がベース部７１に対してＸ軸周りに回動可能となるように本体部７３を支持するベース先端部７１ｂとを有している。ベース先端部７１ｂは、本体部７３がベース部７１に対して滑らかに回動するように、凹状の凹型曲面部７１ｃを有している。凹型曲面部７１ｃは、Ｙ方向において窪み、Ｘ方向に沿って配設されるように、ベース先端部７１ｂの先端面全体に配設されている。
【００２６】
［本体部７３］  
図２Ａに示すように、本体部７３は、ベース先端部７１ｂによって支持されている本体基端部７３ａを有している。本体基端部７３ａは、本体部７３がベース部７１に対して滑らかに回動するように、凹型曲面部７１ｃに嵌め込まれる凸状の凸型曲面部７３ｃを有している。凸型曲面部７３ｃが凹型曲面部７１ｃに嵌め込まれることによって、本体部７３はベース部７１に対して回動可能となるようにベース部７１に支持される。凸型曲面部７３ｃは、Ｙ方向において窪み、Ｘ方向に沿って配設されるように、本体基端部７３ａの基端面全体に配設されている。
【００２７】
舌端部７７が本体部７３に取り付けられる際、Ｙ方向において舌端部７７が本体部７３の先端面から本体部７３の内部に挿し込まれるように、本体部７３は矩形の中空形状を有しており、図１Ａと図２Ｃと示すように本体部７３の先端面は開口している。この場合、後述する軸部材８１は、本体部７３に挿し込まれる舌端部７７のストッパーとして機能する。
【００２８】
［短い舌端部７８ａが本体部７３に取り付けられている場合］  
図１Ａと図１Ｂと図３Ａと図３Ｂとに示すように、短い舌端部７８ａが本体部７３に取り付けられている場合、本体部７３は、本体部７３と短い舌端部７８ａとが一体となってベース部７１と共に底面板２５ｄに載置される載置状態（図１Ａと図３Ａ参照）と、本体部７３の本体先端部７３ｂと短い舌端部７８ａの舌端先端部７７ａとが上面板２５ａとは非接触で本体部７３全体がベース部７１に対して反り返るように起上する起上状態における反り返り起上状態（図１Ｂと図３Ｂ参照）との間を往復するように、ベース部７１に対してＸ軸周りに回動する。
【００２９】
図２Ａと図３Ｂとに示す反り返り起上状態において、本体部７３は、本体部７３が咽頭部３１側に倒れ込み、本体先端部７３ｂが歯ユニット６０に重なるように、ベース部７１に対して例えば略１００度反り返る。
【００３０】
反り返る本体部７３は、本体部７３の上面の一部が凹型曲面部７１ｃの上縁部に当接することによって、反り返りを規制されている。
この場合、短い舌端部７８ａは、舌端（舌頭，舌尖）として機能する。短い舌端部７８ａは本体部７３に対して着脱自在となっており、短い舌端部７８ａの端部は本体先端部７３ｂから外部に向かって微小に突出している。
【００３１】
［長い舌端部７８ｂが本体部７３に取り付けられている場合］  
図４Ａと図４Ｂと図５Ａと図５Ｂとに示すように、長い舌端部７８ｂが本体部７３に取り付けられている場合、本体部７３は、本体部７３と長い舌端部７８ｂとが一体となってベース部７１と共に底面板２５ｄに載置される載置状態（図４Ａと図５Ａ参照）と、長い舌端部７８ｂの舌端先端部７７ａが歯ユニット６０に囲まれるように本体部７３と長い舌端部７８ｂとがベース部７１に対して傾斜して起上する起上状態における傾斜起上状態（図４Ｂと図５Ｂ参照）との間を往復するように、ベース部７１に対してＸ軸周りに回動する。この場合、長い舌端部７８ｂが舌端として機能する。長い舌端部７８ｂは本体部７３に対して着脱自在となっており、長い舌端部７８ｂの端部は本体先端部７３ｂから外部に向かって大幅に突出している。つまり、本体部７３から外部への舌端部７８ｂの突出長さは、舌端部７８ａの突出長さよりも長い。
【００３２】
［舌端部７７（短い舌端部７８ａと長い舌端部７８ｂ）］  
短い舌端部７８ａの構成は、長い舌端部７８ｂの構成と同じである。図２Ａと図４Ａと図４Ｂと図５Ａと図５Ｂとに示すように、舌端部７７は、直方体形状を有している。舌端部７７の舌端先端部７７ａは、図４Ａと図５Ａとに示す傾斜起上状態において、上面板２５ａに当接する当接部７７ｂを有している。当接部７７ｂは、例えば、舌端先端部７７ａの上面部の縁部を有している。当接部７７ｂが当接することによって、傾斜起上状態が維持される。図４Ａと図４Ｂと図５Ａと図５Ｂとに示すように、Ｘ方向において、舌端部７７の幅は、本体部７３の幅よりも短い。またＸ方向において、図４Ｂと図５Ｂとに示すように、舌端部７７の幅は、Ｘ方向において対向しあう歯部材６１同士の間隔よりも短い。このため、図４Ｂと図５Ｂとに示すように、傾斜起上状態において、Ｘ方向において長い舌端部７８ｂと歯部材６１との間には、隙間部７９が形成される。なお図４Ｂと図５Ｂとに示す傾斜起上状態において、本体先端部７３ｂを含む本体部７３は、歯ユニット６０と上面板２５ａと左側面板２３ａの他部と右側面板２３ｂの他部とには非接触である。
【００３３】
舌端部７７は、舌端部７７の動作が声道模型１０の外部から判別できるように、透明ではなく、着色されている。舌端部７７は、本体部７３と同じ色で着色されてもよし、本体部７３とは異なる色で着色されてもよい。舌端部７７は、例えば、アルミなどの金属部材によって形成されている。
【００３４】
［操作部８０］  
図１Ａと図１Ｂと図４Ａと図４Ｂとに示すように、操作部８０は、本体部７３が載置状態と、反り返り起上状態または傾斜起上状態との間を往復するように、本体部７３の回動を操作する。特に、操作部８０は、操作部８０の動作が本体部７３の動作と連動するように、言い換えると本体部７３の状態が操作部８０の状態に対応するように、本体部７３の回動を操作する。このため操作部８０が一方に向かって回動して例えば載置されることによって本体部７３が載置状態となり、操作部８０が他方に向かって回動して例えば起上することによって本体部７３が起上状態となるように、操作部８０は回動する。そして操作部８０が回動することによって、操作部８０は操作部８０に連動して本体部７３を操作する。操作部８０は、操作部８０が載置状態と、操作部８０が反り返り起上状態または傾斜起上状態とのいずれかに往復するように、Ｘ軸周りに回動する。そして、操作部８０が載置状態の場合、本体部７３は載置状態となる。また操作部８０が反り返り起上状態または傾斜起上状態の場合、本体部７３は反り返り起上状態または傾斜起上状態となる。
【００３５】
なお操作部８０の操作性を考慮すると、図１Ａと図１Ｂと図４Ａと図４Ｂとに示すように、操作部８０は、本体部７３に対して予め所望する角度（例えば４５度）起上するように、位置決めされていることが好適である。このため図１Ａと図４Ａとに示すように本体部７３が載置状態の場合、操作部８０は底面板２５ｄに対して４５度起上することとなる。また。また図１Ｂに示すように、本体部７３が反り返り起上状態の場合、操作部８０は底面板２５ｄに対して１４５度起上することとなる。図４Ｂに示すように本体部７３が傾斜起上状態の場合、操作部８０は底面板２５ｄに対して９０度起上することとなる。
【００３６】
操作部８０は、例えば、アルミなどの金属部材によって形成されている。図２Ａと図２Ｂと図２Ｃとに示すように、操作部８０は、Ｘ方向において左側面板２３ａの他部と右側面板２３ｂの他部と本体基端部７３ａとを貫通するようにＸ方向に沿って配設され、回動する本体部７３の回動軸として機能する軸部材８１と、軸部材８１の一端部と連結し、軸部材８１を介して本体部７３の往復を操作する操作本体部８３とを有している。
【００３７】
例えば、操作本体部８３の一部が軸部材８１の一端部と連結し、操作本体部８３の一端部が上面板２５ａよりも上方に配設され、操作本体部８３の他端部が底面板２５ｄよりも下方に配設されるように、操作本体部８３は配設されている。操作本体部８３は、例えば左側面板２３ａの他部の側方に配設される。
【００３８】
操作本体部８３は、例えば棒形状を有するレバーとして機能する。図１Ａに示すように操作本体部８３が押し倒されるように回動することで、操作本体部８３は軸部材８１を介して本体部７３を載置状態に切り替える。図１Ｂに示すように操作本体部８３が引き上げられて起上するように回動することで、操作本体部８３は軸部材８１を介して本体部７３を反り返り起上状態または傾斜起上状態に切り替える。
【００３９】
［動作］  
［接近音における、そり舌接近音（Retroflex Approximant）／ｒ／の生成について］  
接近音における「そり舌接近音／ｒ／」が生成される場合について説明する。この場合、図１Ａと図１Ｂとに示すように、短い舌端部７８ａは、開口部３３ａから声道部３０に挿入され、本体部７３に取り付けられる。
【００４０】
図１Ａと図３Ａとに示す載置状態において、声道部３０の形状によって、母音の「ａ」が生成可能となっている。この状態から、模型１０が操作者によって把持され、図１Ｂと図２Ａと図３Ｂとに示すように操作本体部８３が引き上げられて起上するように操作者に回動操作されると、操作本体部８３は軸部材８１を介して短い舌端部７８ａを含む本体部７３を載置状態から反り返り起上状態に切り替える。
【００４１】
また図１Ａと図２Ａと図３Ａとに示すように操作本体部８３が押し倒されるように操作者に回動操作されると、操作本体部８３は軸部材８１を介して短い舌端部７８ａを含む本体部７３を反り返り起上状態から載置状態に切り替わる。
【００４２】
前記した載置状態、反り返り起上状態、載置状態といった一連の往復動作によって調音（構音）が実施され、この状態で操作者の操作によって例えば気流が声道部３０を咽頭部３１の底から詳細には狭窄部３１ａと舌根部５０の溝部５１とベース部７１の溝部７５と本体部７３の溝部７５とを介して口腔部３３の開口部３３ａに向かうように流れることによって、「ａｒａ」という音が生成可能となる。そして、模型１０は、「ａｒａ」という音を発声可能となる。
【００４３】
［接近音における、側面接近音（Lateral Approximant）／ｌ／）の生成について］  
次に、接近音における「側面接近音／ｌ／」が生成される場合について説明する。この場合、図４Ａと図４Ｂとに示すように、長い舌端部７８ｂは、開口部３３ａから声道部３０に挿入され、本体部７３に取り付けられる。
【００４４】
図４Ａと図５Ａとに示す載置状態において、声道部３０の形状によって、母音の「ａ」が生成可能となっている。この状態から、模型１０が操作者によって把持され、図４Ｂと図５Ｂとに示すように操作本体部８３が引き上げられて起上するように操作者に回動操作されると、操作本体部８３は軸部材８１を介して長い舌端部７８ｂを含む本体部７３を載置状態から傾斜起上状態に切り替える。傾斜起上状態において、長い舌端部７８ｂと歯部材６１との間に隙間部７９が形成される。
【００４５】
また図２Ａと図４Ａと図５Ａとに示すように、操作本体部８３が押し倒されるように操作者に回動操作されると、操作本体部８３は軸部材８１を介して長い舌端部７８ｂを含む本体部７３を傾斜起上状態から載置状態に切り替わる。
【００４６】
前記した載置状態、傾斜起上状態、載置状態といった一連の往復動作によって調音（構音）が実施され、この状態で操作者の操作によって例えば気流が声道部３０を咽頭部３１の底から詳細には狭窄部３１ａと舌根部５０の溝部５１とベース部７１の溝部７５と本体部７３の溝部７５と長い舌端部７８ｂと歯部材６１との間に形成される隙間部７９とを介して口腔部３３の開口部３３ａに向かうように流れることによって、「ａｌａ」という音が生成可能となる。そして、模型１０は、「ａｌａ」という音を発声可能となる。
【００４７】
［動作のまとめ］  
前記動作において、模型１０の平板部材が透明部材によって形成されているため、声道部３０が模型１０の外部から可視される。よって、操作者や、操作者によって操作される模型１０を観察する観察者は、声道部３０を容易にイメージすることとなる。  
また操作本体部８３が引き上げられるといった簡単な操作で、調音（構音）が実施され、目的とする音である「ａｒａ」や「ａｌａ」が生成可能となる。
【００４８】
またこの模型１０が例えば言語教育や言語治療に用いられる場合、言語教育における教師や生徒、言語治療における治療者や患者といった使用者にとって、模型１０はシンプルな構成となっており、声道部３０は容易にイメージ可能となる。また利用者とって、前記したように操作は簡単で、調音（構音）が実施され、この状態で目的とする音である「ａｒａ」や「ａｌａ」を生成しやすくなっている。そして利用者に対して、目的とする音である「ａｒａ」や「ａｌａ」の生成及び耳による確認と舌本体ユニット７０の位置とを操作に伴い簡単に確認させることになる。
【００４９】
［効果］  
このように本実施形態では、シンプルな構成で、声道を容易にイメージでき、操作が簡単で、目的とする音を生成しやすく、目的とする音の生成及び確認と舌本体ユニット７０の位置とを操作に伴い簡単に確認できる声道模型１０を提供できる。
【００５０】
また本実施形態では、模型１０の平板部材が透明部材によって形成され、舌本体ユニット７０は着色されている。このため本実施形態では、舌本体ユニット７０の動きを視覚的に様々な位置から容易に確認できる。そして、本実施形態では、音の生成に伴う舌本体ユニット７０の動きを確認でき、舌本体ユニット７０の動きに伴って生成される音を確認でき、舌本体ユニット７０の動きと音の変化との直接的な関係を簡単に確認できる。
【００５１】
また本実施形態では、操作本体部８３が操作されるために、音を聞きながらリアルタイムで体験でき、使用者に興味を沸かせることができる。また本実施形態では、パソコンにおけるシミュレーションを基に音を生成するようなタイプではなく、模型１０を操作することによって音を生成するタイプである。よって本実施形態では、例えばデモンストレーションにおいて観察者に確実に興味を沸かせることができ、使用者自らに手動で簡単に体験させることができる。また本実施形態では、声道部３０の形状は平板部材によって規定されているため、誰が操作しても常に一定の音質の音を手軽に生成できる。
【００５２】
また本実施形態では、模型１０自体が小型であるため、簡単に持ち運び及び収納できる。また本実施形態では、模型１０の構成もシンプルであるため、操作性が低下してしまうことも防止できる。
【００５３】
また本実施形態では、本体部７３は操作本体部８３に連動するため、操作に伴う動作を確実に実感できる。また本実施形態では、操作部８０が載置されることによって本体部７３が載置状態となり、操作部８０が起上することによって本体部７３が起上状態となる。このため、使用者は、舌本体ユニット７０を視認しなくても、操作部８０を操作する手によって、舌本体ユニット７０の位置を確認できる。
【００５４】
また本実施形態では、凸型曲面部７３ｃと凹型曲面部７１ｃとによって、本体部７３はベース部７１に対して確実に滑らかに回動できる。これにより本実施形態では、本体部７３を載置状態と起上状態との間を滑らか往復させることができる。
【００５５】
また本実施形態では、舌端部７７が本体部７３から着脱することで、様々な音を手軽に生成させることができる。また本実施形態では、往復運動によって、調音（構音）を実施でき、この状態で音を生成できる。
【００５６】
また本実施形態では、図２Ａと図３Ａとに示すような反り返り起上状態において、本体部７３の上面の一部が凹型曲面部７１ｃの上縁部に当接する。これにより、本実施形態では、本体部７３の反り返りを規制でき、本体部７３がベース部７１に倒れることを防止でき、確実にそり舌を実現できる。  
また本実施形態では、図４Ｂと図５Ｂとに示す傾斜起上状態において、当接部７７ｂは上面板２５ａに当接する。これにより本実施形態では、傾斜起上状態を確実に維持できる。
【００５７】
また本実施形態では、歯部材６１が上面板２５ａに着脱自在であるため、模型１０の改良性を高めることができる。
【００５８】
なお本実施形態では、図１Ａに示す載置状態と図１Ｂに示す反り返り起上状態との間の往復と、図４Ａに示す載置状態と図４Ｂに示す傾斜起上状態との間の往復は、手動によって実施されるがこれに限定される必要はない。図６に示すように、例えば、模型１０は、本体部７３が載置状態となるように本体部７３を付勢する付勢部材８５を有していてもよい。例えば反り返り起上状態において、操作者が操作本体部８３から手を放すと、付勢部材の付勢力に対抗する把持力が解消される。これにより、付勢部材８５の付勢力によって、操作本体部８３と軸部材８１と本体部７３とが載置状態に向かって回動することとなる。付勢力は、載置状態に戻る復元力となっている。付勢部材８５は、例えばばねなどを有している。付勢部材８５は、操作本体部８３の根本部分と、背面板２３ｃ側に位置する右側面板２３ｂの一部とに取り付けられている。なお付勢部材８５は、前記とは逆に、本体部７３が反り返り起上状態または傾斜起上状態となるように本体部７３を付勢してもよい。
また本実施形態では、この模型１０に、頭部をイメージする別の模型を着脱自在に装着させてもよい。これにより本実施形態では、頭部内における声道部３０の位置をより確実にイメージできる。
また本実施形態では、短い舌端部７８ａと長い舌端部７８ｂとが入れ替わりで本体部７３に取り付けられるが、これに限定される必要はない。舌端部７７は、本体部７３から外部への舌端部７７の突出長さが調整されるように、本体部７３に取り付けられてもよい。この場合、本体部７３への舌端部７７の挿入位置が調整されることで、突出長が調整される。この場合、舌端部７７は、例えばねじなどによって、本体部７３に固定される。
また本実施形態では、載置状態において、１つの機構（例えば咽頭部３１に配設されている舌根部５０）によって、母音の「ａ」が生成可能となっている。しかしながら他の母音が生成される場合、例えば、咽頭部３１における機構は所望に変更されるなど、母音に合わせて適宜変更される。
【００５９】
［第２の実施形態］  
［構成］  
以下に図７Ａと図７Ｂと図８Ａと図８Ｂとを参照して、第１の実施形態とは異なる点のみ記載する。
【００６０】
本実施形態の模型１０は、例えば、はじき音（Flap  sound）と呼ばれる音を生成する。はじき音は、例えば、日本語のラ行の典型的な音である。
この場合、舌根部５０と舌端部７７は、不要となる。
【００６１】
また本体部７３は、本体部７３全体がベース部７１と共に底面板２５ｄに載置される載置状態（図７Ａと図８Ａ参照）と、本体部７３の本体先端部７３ｂが歯ユニット６０に囲まれるように本体部７３全体がベース部７１に対して傾斜して起上する傾斜起上状態（図７Ｂと図８Ｂ参照）との間を往復するように、ベース部７１に対してＸ軸周りに回動する。
【００６２】
本体先端部７３ｂは、傾斜起上状態において、上面板２５ａに当接する当接部７３ｄを有している。当接部７３ｄは、例えば、本体先端部７３ｂの上面部の縁部を有している。当接部７３ｄが当接することによって、傾斜起上状態が維持される。当接部７３ｄが上面板２５ａに当接した際、本体先端部７３ｂは、歯ユニット６０と密着する。本体先端部７３ｂは、舌端（舌頭，舌尖）として機能する。
【００６３】
本実施形態においても、第１の実施形態と同様の効果を得ることができる。また本実施形態では、舌端部７７を不要にできる分、模型１０をさらにシンプルかつ小型にできる。
【００６４】
また本実施形態では、傾斜起上状態において、当接部７３ｄは上面板２５ａに当接する。これにより本実施形態では、傾斜起上状態を確実に維持できる。
【００６５】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【００６６】
１０…声道模型、３０…声道部、３１…咽頭部、３３…口腔部、６０…歯ユニット、６１…歯部材、７０…舌本体ユニット、７１…ベース部、７３…本体部、７７…舌端部、７８ａ…短い舌端部、７８ｂ…長い舌端部、８０…操作部、８１…軸部材、８３…操作本体部。
【図１Ａ】
2015121622.tif 000003
【図１Ｂ】
2015121622.tif 000004
【図２Ａ】
2015121622.tif 000005
【図２Ｂ】
2015121622.tif 000006
【図２Ｃ】
2015121622.tif 000007
【図３Ａ】
2015121622.tif 000008
【図３Ｂ】
2015121622.tif 000009
【図４Ａ】
2015121622.tif 000010
【図４Ｂ】
2015121622.tif 000011
【図５Ａ】
2015121622.tif 000012
【図５Ｂ】
2015121622.tif 000013
【図６】
2015121622.tif 000014
【図７Ａ】
2015121622.tif 000015
【図７Ｂ】
2015121622.tif 000016
【図８Ａ】
2015121622.tif 000017
【図８Ｂ】
2015121622.tif 000018